【事件の表示】
　特願２０００−２０４４４４「マルチユーザーインターネットアクセスおよび保安装置」拒絶査定不服審判事件〔平成１３年　３月２３日出願公開、特開２００１−　７６０１１〕について、次のとおり審決する。
【結　論】
　本件審判の請求は、成り立たない。
【理　由】
１．手続きの経緯 
　本願は、平成１２年７月６日（パリ条約による優先権主張１９９９年７月６日、アメリカ合衆国）の特許出願であって、平成１８年１月４日付けで拒絶査定され、これに対して同年４月１０日付けで拒絶査定不服審判の請求がなされた。そして、当審において平成２１年４月７日付けで拒絶理由が通知され、同年１０月８日付けで手続補正書が提出された。
　　　
　
２．本願発明 
　本願の請求項１に係る発明は、平成２１年１０月８日付け手続補正書によって補正された明細書の特許請求の範囲の請求項１に記載された事項により特定される、以下のとおりのものである（以下「本願発明」という）。
　　　　  
「【請求項１】　ネットワークに接続可能な、コンピュータで実行するブックマークシステムであって、該ネットワークを通してアクセス可能な宛先を、該コンピュータの複数のユーザの各々が自動的にアドレスできるようにするブックマークシステムにおいて、
　複数の宛先アドレスを、該複数のユーザにより使用するために記憶するメモリ手段であって、それらアドレスの各々が該宛先のうちの１つを識別するものであるメモリ手段と、
　該複数のユーザーを該メモリ手段に記憶された該複数の宛先アドレスに割り当てて、該複数のアドレスの各々について、該複数のユーザのどの人が該メモリ手段内の該アドレスにアクセスする権限を有しているかを識別する手段と、
　該複数のユーザの各人が、該記憶された宛先アドレスのうちの、その各人に割り当てられたものだけに、該メモリ手段においてアクセスできるようにする権能付与手段と、
を備えることを特徴とするブックマークシステム。」
　　　　
　　　　
３．引用例 
　当審において通知した拒絶の理由に引用された国際公開第９９／１７２２９号（以下、「引用例」という）の明細書には、下記の事項が記載されている。
　　　
（ア）「技術分野
　本発明は、インターネット上で提供されるＷＷＷ（ワールドワイドウエブ）を参照するＷＷＷブラウザシステムに関し、より詳しくは、ＷＷＷブラウザにおいて、より視覚的、かつ効率的にＷＷＷのページを選択できるように、ＷＷＷのページ毎にそのページの縮小イメージをブックマークとして登録可能な画像表示ブックマークシステムに関する。」（明細書第１頁３行〜８行）
　
（イ）「図２は、本発明の一実施形態の画像表示ブックマークシステム１００のシステム構成を示すブロック図である。画像表示ブックマークシステム１００は、処理装置１１０内のブックマーク処理部１１１およびデータ記憶装置１２０から構成される。前記処理部１１０は通常、パーソナルコンピュータまたはＵＮＩＸワークステーション等のＣＰＵであり、前記データ記憶部１２０は通常、前記パーソナルコンピュータまたはＵＮＩＸワークステーション等のハードディスク装置またはその他の記憶装置である。」（明細書第１８頁１行〜７行）
　　
（ウ）「前記ログイン制御部１１１ｃは、図８に示された前記ブックマーク表示画面２００において、プルダウンメニュー２４０からログイン（Ｉ）が選択された場合に、図８の第１のポップアップウインドウで示されたユーザＩＤ指定画面７００を表示する。前記ユーザＩＤ指定画面７００は、ユーザＩＤ入力エリア７０１、ＯＫボタン７０２、およびキャンセルボタン７０３から構成される。前記ログイン制御部１１１ｃは、ＯＫボタン７０２が選択されると、図７に示す第２のポップアップウインドウのパスワード指定画面７１０を表示する。
　一方、前記ログイン制御部１１１ｃは、キャンセルボタン７０３が選択された場合は、前記ユーザＩＤ指定画面７００を閉じ、ログインは行われない。前記パスワード指定画面７１０は、パスワード入力エリア７１１、ＯＫボタン７１２、およびキャンセルボタン７１３から構成される。ここで、前記ログイン制御部１１１ｃは、ＯＫボタン７１２が選択されると、前記ユーザＩＤ指定画面７００で入力されたユーザＩＤに対応するユーザ名のレコードが前記ユーザ管理ファイル１２２内に存在し、かつ、前記レコードに記憶されたパスワードが前記パスワード指定画面７１０で入力されたパスワードと一致するかどうかを判定する。前記ログイン制御部１１１ｃは、前記判定の条件を満たさない場合、ここで所定のエラーメッセージを表示し、前記パスワード指定画面７１０のパスワード入力エリア７１１に再入力を促すかまたは、前記ユーザＩＤ指定画面７００と前記パスワード指定画面７１０を閉じる。・・・中略・・・前記ログイン制御部１１１ｃは、前記判定条件を満たす場合、そのパスワードを入力したユーザを一般ユーザとして前記画像表示ブックマークシステムにログインさせる。」（明細書第３１頁９行〜第３２頁８行）
　　
（エ）「図９は、ブックマークの登録の処理フローを示している。最初に、ＷＷＷブラウザ１００のユーザによってブックマークの登録が指示される（ステップＳ１０）。このブックマークの登録指示は、例えば、ＷＷＷブラウザ１００のページ表示部に所望のページを表示しているときに、従来の方法によってＷＷＷブラウザのＧＵＩ画面上でブックマークの登録を指示するものである。このとき、ブックマーク登録部１１１ｄが起動され、ブックマーク登録部１１１ｄは、前記ＷＷＷブラウザ１００のＧＵＩ画面上の前記ページ表示部に表示されているアクティブ画面のイメージデータをメモリなどの記憶装置にキャプチャ（保存）する（ステップＳ１１）。・・・中略・・・次に、ブックマーク登録部１１１ｄは、前記キャプチャした画像を、前記ユーザ管理ファイル１２２内の、現在ログインしているユーザＩＤに対応するユーザ名を有するレコードに指定されている画像のサイズ（ｘ、ｙ）に縮小する（ステップＳ１２）。・・・中略・・・
　次に、ブックマーク登録部１１１ｄは、前記ページの縮小されたキャプチャ画像のファイル名、タイトル、およびＵＲＬをそれぞれ、現在ログインしている前記ユーザ用の前記ブックマークデータファイル１２３の新規追加レコードの画像ファイル名、タイトル、およびＵＲＬの各フィールドに格納し、前記縮小されたキャプチャ画面のイメージデータを前記縮小画像データファイル１２４に格納する（ステップＳ１３）。・・・中略・・・次に、今度はブックマーク表示制御部１１１ｅが、前記ページの縮小されたキャプチャ画像を前記ブックマーク表示画面２００の前記画像表示部２２０に表示させる（ステップＳ１４）。」（明細書第３２頁１２行〜第３４頁２５行）
　　
（オ）「図１１は、ＷＷＷブラウザ１００のＧＵＩ画面上の前記ページ表示部から、ブックマーク編集画面２００を表示させるために、初めて前記ブックマーク表示制御部１１１ｅが起動された場合（即ちデフォルトのユーザで起動された場合）の処理フローを示す。最初にブックマーク表示画面２００を表示させるよう指示する。ここで前記ブックマーク表示制御部１１１ｅが起動され（ステップＳ２０）、前記ブックマーク表示制御部１１１ｅは、前記動作制御パラメータファイル１２１内に設定された各制御パラメータの値を読み込む（ステップＳ２１）。次に、前記ブックマーク表示制御部１１１ｅは前記ユーザ管理ファイル１２２から、前記動作制御パラメータファイル１２１から読み取ったデフォルトユーザＩＤと同じユーザ名のレコードを検索する（ステップＳ２２）。
　続いて、前記デフォルトユーザＩＤと同じユーザ名のレコードが前記ユーザ管理ファイル１２２内に存在するかどうかを判定し（ステップＳ２３）、存在しなければ（ステップＳ２３、Ｎｏ）、前記ブックマーク表示制御部１１１ｅは処理を終了する。一方、存在した場合（ステップＳ２３、Ｙｅｓ）、前記ブックマーク表示制御部１１１ｅは、前記デフォルトユーザＩＤ用の前記ブックマークデータファイル１２３の全レコードから画像ファイル名を読み込み（ステップＳ２４）、次に前記画像ファイル名を有する画像ファイルを前記縮小画像データファイル１２４から読み込み、該画像ファイルを、所定の規則に従って、前記ブックマーク表示画面２００の画像表示部２２０内に全て表示し（ステップＳ２５）、処理を終了する。」（明細書第３５頁３行〜２３行）
　　　
（カ）「図１２は、一般ユーザがユーザＩＤを入力した後、そのユーザＩＤのブックマークを表示する処理フローを示す。図８のユーザＩＤ指定画面７００にユーザＩＤを入力し、ＯＫボタン７０２を選択すると、前記ログイン制御部１１１ｃが起動される（ステップＳ３０）。次に、前記ログイン制御部１１１ｃがパスワード指定画面７１０を表示させ、その画面のパスワード入力エリア７１１にユーザからパスワードが入力される（ステップＳ３１）。前記ログイン制御部１１１ｃは、このパスワードを前記ユーザ管理ファイル１２２の前記入力されたユーザＩＤ（ユーザ名）を有するレコードのパスワードと比較し（ステップＳ３２）、ユーザＩＤとパスワードが共に正しくなければ処理を終了する（ステップＳ３２、ＮＧ）。
　一方、ユーザＩＤとパスワードが共に正しければ（ステップＳ３２、ＯＫ）、今度は前記ブックマーク表示制御部１１１ｅが、前記ユーザ管理ファイル１２２の前記ユーザ名を有するレコードから登録フラグ、変更フラグ、削除フラグ、および画像のサイズ等のプロファイル情報を読み込む（ステップＳ３３）。次に、前記ブックマーク表示制御部１１１ｅが、前記ユーザＩＤ用の前記ブックマークデータファイル１２３の全レコードから画像ファイル名を読み込み、次に前記画像ファイル名を有する画像ファイルを前記縮小画像データファイル１２４から読み込み（ステップＳ３４）、現在表示されているブックマーク画面２００のフォルダ表示部２１０および画像表示部２２０の表示をクリアする（ステップＳ３５）。その後、ステップＳ３４で読み込んだ全ての縮小画像データファイル１２４の内容（画像２２１）をブックマークデータとして所定の規則に従って、前記ブックマーク表示画面２００の画像表示部２２０内に表示させ（ステップＳ３６）、処理を終了する。」（明細書第３６頁２行〜２４行）
　
（キ）「図１４は、ユーザが所望のページを表示させるために、ブックマーク表示画面２００の画像表示部２２０から前記ページに対応する画像２２１をクリックして、ＷＷＷブラウザ１００のＧＵＩ画面上の前記ページ表示部にそのページを表示させるまでの処理フローを示す。図１４は、ＷＷＷページ表示制御部１１１ｈの処理フローを示すものであるが、２つのセクション（１）、（２）に分かれており、（１）が本実施形態のＷＷＷページ表示制御部１１１ｈが有する機能であり、（２）がＷＷＷブラウザ１１３が有する機能である。最初に前記ブックマーク表示画面２００の画像表示部２２０に示された画像２２１の１つをマウスによりクリックすると（ステップＳ４０）、ＷＷＷページ表示制御部１１１ｈが、前記画像２２１の表示座標値を基にして、ブックマークデータファイル１２３の前記画像２２１に対応するレコードから、ＵＲＬを読み込む（ステップＳ４１）。次に、ＷＷＷページ表示制御部１１１ｈは前記取得したＵＲＬをＷＷＷブラウザ１１３に送信（通知）する（ステップＳ４２）。前記ＷＷＷブラウザ１１３は、前記ＵＲＬを受信すると（ステップＳ４３）、前記ＵＲＬの示すＷＷＷサーバにインターネット１３０を介してアクセスして、該ＷＷＷサーバから該ＵＲＬの示すページを受信し（ステップＳ４４）、前記ＷＷＷブラウザ１００のＧＵＩ画面上のページ表示部に、従来と同様の方法により該ページを表示させ（ステップＳ４５）、処理を終了する。」（明細書第３７頁２２行〜第３８頁１４行）
　
　よって、上記（ア）乃至（キ）及び関連図面の記載から、引用例には実質的に、
「インターネットに接続されコンピュータで実行されるブックマークシステムであって、該インターネットを経由してアクセス可能なページを、該コンピュータのユーザがアドレスできるようにするブックマークシステムにおいて、
　ユーザＩＤ別に該ユーザが登録したページ毎の画像ファイルと該ページのＵＲＬを記憶するデータ記憶装置と、
　ブックマークとして登録するページの、画像ファイル、ＵＲＬを、ログインしているユーザのユーザＩＤ別で新規に登録するページ毎に該ページの画像ファイルとＵＲＬのデータをデータ記憶装置に格納するブックマーク登録部と、
　ユーザＩＤとパスワードからユーザのログインが正しく行われたかを判定するログイン制御部と、
　ユーザのログインが正しく行われていたと判定された場合に、前記ユーザＩＤで格納された全ページの画像ファイルをデータ記憶装置から読み込みんでブックマーク表示画面に表示させるブックマーク表示制御部と、
　表示された画像ファイルから所望のページに該当する画像ファイルが選択されると、該選択された画像ファイルに対応するＵＲＬをデータ記憶装置から読み込むＷＷＷページ表示制御部と、
を備えるブックマークシステム。」
の発明（以下、「引用発明」という）が記載されている。
　　　　
　　　　　　　　　　  
４．対比 
（１）本願発明と引用発明との対応関係について
　引用発明の「インターネット」、「アクセス可能なページ」、「ＵＲＬ」は、本願発明の「ネットワーク」、「アクセス可能な宛先」、「宛先アドレス」に相当している。
　
　引用発明は、複数のユーザによりブックマークシステムを利用する発明であることは明らかである。そして、ユーザがブックマーク表示画面に表示された画像の中から、アクセスしたいページ（所望のページ）に該当する画像を選択すると、ＷＷＷページ表示制御部が該ページのＵＲＬをデータ記憶装置から読み込んでいる。
　よって、ユーザがアクセスしたいページ（所望のページ）のＵＲＬをいちいち入力しなくても、自動的に該ページのＵＲＬを取得できる構成となっているから、引用発明の「インターネットに接続されコンピュータで実行されるブックマークシステムであって、該インターネットを経由してアクセス可能なページを、該コンピュータのユーザがアドレスできるようにするブックマークシステム」は、本願発明の「ネットワークに接続可能な、コンピュータで実行するブックマークシステムであって、該ネットワークを通してアクセス可能な宛先を、該コンピュータの複数のユーザの各々が自動的にアドレスできるようにするブックマークシステム」に相当している。
　
　引用発明は、ブックマークシステムにおいて、ページに関するＵＲＬ等のデータをデータ記憶装置に登録を行った複数のユーザが、各自が登録したＵＲＬを利用できるようにするものである。そして、ユーザが所望するページのＵＲＬがデータ記憶装置から読み込まれて該ページがアクセスされることから、データ記憶装置に格納されたＵＲＬの各々が複数のページのうちの１つを識別するもになっているといえる。
　よって、引用発明の「ユーザＩＤ別に該ユーザが登録したページ毎の画像ファイルと該ページのＵＲＬを記憶するデータ記憶装置」は、本願発明の「複数の宛先アドレスを、該複数のユーザにより使用するために記憶するメモリ手段であって、それらアドレスの各々が該宛先のうちの１つを識別するものであるメモリ手段」に相当している。
　　
（２）本願発明と引用発明の一致点について
　上記の対応関係から、本願発明と引用発明は、
「ネットワークに接続可能な、コンピュータで実行するブックマークシステムであって、該ネットワークを通してアクセス可能な宛先を、該コンピュータの複数のユーザの各々が自動的にアドレスできるようにするブックマークシステムにおいて、
　複数の宛先アドレスを、該複数のユーザにより使用するために記憶するメモリ手段であって、それらアドレスの各々が該宛先のうちの１つを識別するものであるメモリ手段、
を備えることを特徴とするブックマークシステム。」
の点で一致している。
　　　　　
（３）本願発明と引用発明の相違点について
　本願発明と引用発明は、下記の点で相違する。
（相違点Ａ）
　本願発明は「該複数のユーザーを該メモリ手段に記憶された該複数の宛先アドレスに割り当てて、該複数のアドレスの各々について、該複数のユーザのどの人が該メモリ手段内の該アドレスにアクセスする権限を有しているかを識別する手段」を備えているのに対し、引用発明はそのような手段を備えていない点。
　　
（相違点Ｂ）
  本願発明は「該複数のユーザの各人が、該記憶された宛先アドレスのうちの、その各人に割り当てられたものだけに、該メモリ手段においてアクセスできるようにする権能付与手段」を備えているのに対し、引用発明はそのような手段を備えていない点。
　　　
　　　　
５．当審の判断 
（１）相違点Ａについて
　引用発明では、ブックマーク登録部が、ユーザＩＤ別で新規に登録するページ毎に該ページの画像ファイルとＵＲＬのデータをデータ記憶装置に格納しているので、各ＵＲＬにユーザＩＤ、ページを介してユーザを割り当てているといえる。
　また、引用発明では、ログイン制御部によりログインが正しく行われたことが判定されると、ログインを行ったユーザに対して、該ユーザのＩＤにより格納されたＵＲＬへのアクセスを可能としているので、各ＵＲＬはログイン制御部による判定により複数のユーザのどのユーザがアクセスする権限を有しているか識別されているといえる。
　一般に、ユーザを管理するために、各ＵＲＬにユーザＩＤを割り当てて、各ＵＲＬにアクセスできる権限を有しているユーザが、複数のユーザのどのユーザであるかを識別する手段は周知である。
　してみると、引用発明において、上記周知なことを採用して「該複数のユーザーを該メモリ手段に記憶された該複数の宛先アドレスに割り当てて、該複数のアドレスの各々について、該複数のユーザのどの人が該メモリ手段内の該アドレスにアクセスする権限を有しているかを識別する手段」を有しているとすることは当業者が容易になし得たことである。
　
（２）相違点Ｂについて
　引用例の３．（カ）には、ユーザのログインが正しく行われると、ログインしたユーザが登録した画像ファイルを読み込み、ブックマーク画面において初期表示されているフォルダ表示部および画像表示部の表示をクリア後、読み込んだ全ての画像ファイルの内容をブックマークデータとしてブックマーク表示画面の画像表示部内に表示することが記載されている。即ち、ユーザのログインが正しく行われると、ブックマーク表示画面にはログインしたユーザが登録した画像ファイルしか表示されていないため、各ユーザはデータ記憶装置に記憶されたＵＲＬのうちの、自分に割り当てられたものだけにアクセスできることが開示されている。
　そして、これを実現する手段として、権能付与手段を有するとすることは普通に推考できることである。
　してみると、引用発明において、「該複数のユーザの各人が、該記憶された宛先アドレスのうちの、その各人に割り当てられたものだけに、該メモリ手段においてアクセスできるようにする権能付与手段」に対応する構成を設けることは、当業者が容易に想到し得たものである。
　
（３）本願発明の作用効果について　　　
　引用発明においても、各ユーザが登録したブックマークは、ログインを行わなければ表示されない構成となっていることから、他のユーザが特定のユーザのブックマークを眺めたりアクセスすることは防止されることは明らかである。
　そして、本願発明の作用効果も、引用例に記載された事項から当業者が予測できる範囲のものであり、格別なものとすることはできない。　　　　
　
　　　
６．むすび 
　以上のとおり、本願発明は、当業者が引用発明に基いて容易に発明することができたものであるから、特許法第２９条第２項の規定により特許を受けることができない。 
　したがって、本願は、他の請求項について、検討するまでもなく拒絶されるべきものである。 
　よって、結論のとおり審決する。